(57)【特許請求の範囲】
【請求項１】
液晶表示ユニットであって、
タッチスクリーンと、前記タッチスクリーンに平行するように対向配置された上基板と、前記上基板に平行するように対向配置された下基板と、前記上基板と前記下基板との間に封入された液晶層と、前記上基板の前記液晶層に隣接しない面に貼り付けられた上偏光シートと、前記下基板の前記液晶層に隣接しない面に貼り付けられた下偏光シートとを備え、
前記液晶表示ユニットは、さらに、少なくとも１つの指紋認識センサと、少なくとも１つの光センサと、制御チップとを備え、
前記少なくとも１つの指紋認識センサは、前記上偏光シートと前記下偏光シートとの間に設けられ、指紋認識センサのそれぞれが前記制御チップに個別に電気接続され、
前記少なくとも１つの光センサは、前記上基板に備えられるカラーフィルタＣＦに設けられ、または、前記少なくとも１つの光センサは、前記タッチスクリーン上に設けられ、光センサのそれぞれが前記制御チップに個別に電気接続されており、
前記光センサは、ｎ（ｎ≧２）個あり、ｎ個の前記光センサは、均一に分散配置され、
前記指紋認識センサは、ｍ（ｍ≧２）個あり、ｍ個の前記指紋認識センサは、均一に分散配置されており、
光センサに応じて一部の指紋認識センサを選択して指紋認識を行う
ことを特徴とする液晶表示ユニット。
【請求項２】
指紋認識センサのそれぞれは、対応するイネーブル線を介して前記制御チップに電気接続され、且つスイッチを介してデータ線に電気接続されていることを特徴とする請求項１に記載の液晶表示ユニット。
【請求項３】
前記指紋認識センサのスイッチが第１状態であるように前記制御チップが前記イネーブル線を介して当該スイッチを制御するとき、前記指紋認識センサは、アイドル状態になり、
前記指紋認識センサのスイッチが第２状態であるように前記制御チップが前記イネーブル線を介して当該スイッチを制御するとき、前記指紋認識センサは、作動状態になることを特徴とする請求項１に記載の液晶表示ユニット。
【請求項４】
光センサのそれぞれは、導線を介して前記制御チップに電気接続されていることを特徴とする請求項１に記載の液晶表示ユニット。
【請求項５】
前記上基板は、上ガラス基板と前記カラーフィルタＣＦとを備え、
前記上ガラス基板の下面は、前記液晶層に隣接し、
前記ＣＦは、前記上ガラス基板の上面に貼り付けられ、
前記ＣＦは、画素ブロックと、各前記画素ブロックの間に分布された第１黒色マトリックスとを含むことを特徴とする請求項１に記載の液晶表示ユニット。
【請求項６】
前記少なくとも１つの指紋認識センサは、前記第１黒色マトリックスに設けられ、または、
前記少なくとも１つの光センサは、前記第１黒色マトリックスに設けられ、または、
前記少なくとも１つの指紋認識センサと前記少なくとも１つの光センサは、何れも前記第１黒色マトリックスに設けられていることを特徴とする請求項５に記載の液晶表示ユニット。
【請求項７】
前記下基板は、下ガラス基板と薄膜トランジスタＴＦＴアレイとを備え、
前記下ガラス基板の上面は、前記液晶層に隣接し、
前記下ガラス基板の下面には、前記ＴＦＴアレイと、前記ＴＦＴアレイ間に分布された第２黒色マトリックスとが設けられていることを特徴とする請求項１に記載の液晶表示ユニット。
【請求項８】
前記少なくとも１つの指紋認識センサは、前記第２黒色マトリックスに設けられ、または、
前記少なくとも１つの光センサは、前記第２黒色マトリックスに設けられ、または、
前記少なくとも１つの指紋認識センサと前記少なくとも１つの光センサは、何れも前記第２黒色マトリックスに設けられていることを特徴とする請求項７に記載の液晶表示ユニット。
【請求項９】
前記液晶表示ユニットは、少なくとも１つのバックライトをさらに備え、
前記少なくとも１つのバックライトは、前記制御チップに電気接続されていることを特徴とする請求項１に記載の液晶表示ユニット。
【請求項１０】
前記液晶表示ユニットに対応する表示領域は、ｋ（ｋ≧２）個の表示ブロックに分割され、表示ブロックごとに少なくとも１つのバックライトが設けられ、且つ、表示ブロックごとに、少なくとも１つの光センサと少なくとも１つの指紋認識センサとが設けられていることを特徴とする請求項９に記載の液晶表示ユニット。
【請求項１１】
請求項１乃至１０の何れか一項に記載の液晶表示ユニットを備えることを特徴とする電子機器。
【発明の詳細な説明】
【技術分野】
【０００１】
本発明は、表示技術分野に関し、特に液晶表示ユニットおよび電子機器に関する。
【背景技術】
【０００２】
電子機器に設けられた指紋認識センサは、ユーザの指紋を認識して認証することができる。認証を通った後、電子機器に対するユーザの操作が許可されるため、電子機器が関係者以外の者に操作されることが回避され、電子機器の安全性が保証される。
【０００３】
関連技術では、電子機器の液晶表示ユニット上に指紋認識センサが均一に分布されている。そして、液晶表示ユニットに作用する操作信号が受信されると、液晶表示ユニットにおける第１行の指紋認識センサから順次走査を開始し、液晶表示ユニットにおける最終行の指紋認識センサの走査が完了するまで続けて、ユーザの指紋を取得する。
【発明の概要】
【発明が解決しようとする課題】
【０００４】
関連技術における問題を解決すべく、本発明は、液晶表示ユニットおよび電子機器を提供する。
【課題を解決するための手段】
【０００５】
本発明の実施例の第１態様によれば、液晶表示ユニットを提供する。前記液晶表示ユニットは、タッチスクリーンと、前記タッチスクリーンに平行するように対向配置された上基板と、前記上基板に平行するように対向配置された下基板と、前記上基板と前記下基板との間に封入された液晶層と、前記上基板の前記液晶層に隣接しない面に貼り付けられた上偏光シートと、前記下基板の前記液晶層に隣接しない面に貼り付けられた下偏光シートとを備え、
前記液晶表示ユニットは、さらに、少なくとも１つの指紋認識センサと、少なくとも１つの光センサと、制御チップとを備え、
前記少なくとも１つの指紋認識センサは、前記上偏光シートと前記下偏光シートとの間に設けられ、指紋認識センサのそれぞれが前記制御チップに個別に電気接続され、
前記少なくとも１つの光センサは、前記上偏光シートと前記下偏光シートとの間に設けられ、または、前記少なくとも１つの光センサは、前記タッチスクリーン上に設けられ、光センサのそれぞれが前記制御チップに個別に電気接続される。
【０００６】
好ましくは、指紋認識センサのそれぞれは、対応するイネーブル線を介して前記制御チップに電気接続され、且つスイッチを介してデータ線に電気接続されている。
【０００７】
好ましくは、前記指紋認識センサのスイッチが第１状態であるように前記制御チップが前記イネーブル線を介して当該スイッチを制御するとき、前記指紋認識センサは、アイドル状態になり、
前記指紋認識センサのスイッチが第２状態であるように前記制御チップが前記イネーブル線を介して当該スイッチを制御するとき、前記指紋認識センサは、作動状態になる。
【０００８】
好ましくは、光センサのそれぞれは、導線を介して前記制御チップに電気接続されている。
【０００９】
好ましくは、前記上基板は、上ガラス基板と、ＣＦ（Ｃｏｌｏｒ Ｆｉｌｔｅｒ、カラーフィルタ）とを備え、
前記上ガラス基板の下面は、前記液晶層に隣接し、
前記ＣＦは、前記上ガラス基板の上面に貼り付けられ、
前記ＣＦは、画素ブロックと、各前記画素ブロックの間に分布された第１黒色マトリックスとを含む。
【００１０】
好ましくは、前記少なくとも１つの指紋認識センサは、前記第１黒色マトリックスに設けられ、または、
前記少なくとも１つの光センサは、前記第１黒色マトリックスに設けられ、または、
前記少なくとも１つの指紋認識センサと前記少なくとも１つの光センサは、何れも前記第１黒色マトリックスに設けられている。
【００１１】
好ましくは、前記下基板は、下ガラス基板と、ＴＦＴ（Ｔｈｉｎ Ｆｉｌｍ Ｔｒａｎｓｉｓｔｏｒ、薄膜トランジスタ）アレイとを備え、
前記下ガラス基板の上面は、前記液晶層に隣接し、
前記下ガラス基板の下面には、前記ＴＦＴアレイと、前記ＴＦＴアレイ間に分布された第２黒色マトリックスとが設けられている。
【００１２】
好ましくは、前記少なくとも１つの指紋認識センサは、前記第２黒色マトリックスに設けられ、または、
前記少なくとも１つの光センサは、前記第２黒色マトリックスに設けられ、または、
前記少なくとも１つの指紋認識センサと前記少なくとも１つの光センサは、何れも前記第２黒色マトリックスに設けられている。
【００１３】
好ましくは、前記光センサは、ｎ（ｎ≧２）個あり、ｎ個の前記光センサは、均一に分散配置され、
前記指紋認識センサは、ｍ（ｍ≧２）個あり、ｍ個の前記指紋認識センサは、均一に分散配置されている。
【００１４】
好ましくは、前記液晶表示ユニットは、少なくとも１つのバックライトをさらに備え、
前記少なくとも１つのバックライトは、前記制御チップに電気接続されている。
【００１５】
好ましくは、前記液晶表示ユニットに対応する表示領域は、ｋ（ｋ≧２）個の表示ブロックに分割され、表示ブロックごとに少なくとも１つのバックライトが設けられ、且つ、表示ブロックごとに、少なくとも１つの光センサと少なくとも１つの指紋認識センサとが設けられている。
【００１６】
本発明の実施例の第２態様によれば、電子機器を提供する。前記電子機器は、第１態様の何れか一項に記載の液晶表示ユニットを含む。
【発明の効果】
【００１７】
本発明の実施例に供される技術案は、以下の格別な作用効果を奏することができる。
【００１８】
上偏光シートと前記下偏光シートとの間に少なくとも１つの指紋認識センサを設け、且つ上偏光シートと前記下偏光シートとの間に或いはタッチスクリーン上に、少なくとも１つの光センサを設けることで、光センサに応じて一部の指紋認識センサを選択して指紋認識を行うことが可能となるため、全液晶ディスプレイスクリーンにおけるあらゆる指紋認識センサが指紋認識を行うように制御することによる資源浪費の問題を解決でき、資源を節約する効果を奏する。
【００１９】
以上の一般的な記述および後述する詳細な説明は、例示的なものであり、本発明を制限するためのものでないことは、理解されるべきである。
【図面の簡単な説明】
【００２０】
ここでの図面は、明細書を構成する一部として見なされ、本発明に適した実施例を示し、かつ、明細書の文字記載とともに本発明の仕組みを解釈するために用いられる。
【図１】一実施例による液晶表示ユニットを示すブロック図である。
【図２】一実施例による液晶表示ユニットを示すブロック図である。
【図３】一実施例によるＣＦでの画素ブロックの異なる配置方式を示す模式図である。
【図４】一実施例によるＣＦを示す側面図である。
【図５】一実施例による下ガラス基板を示す側面図である。
【図６】一実施例による指紋認識センサの第１種配置方式を示す模式図である。
【図７】一実施例による指紋認識センサの第２種配置方式を示す模式図である。
【図８】一実施例による液晶表示ユニットに対応する表示領域を示す模式図である。
【発明を実施するための形態】
【００２１】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２２】
図１は、一実施例による液晶表示ユニットを示す構造模式図である。
【００２３】
図１に示すように、当該液晶表示ユニットは、タッチスクリーン１００と、タッチスクリーン１００に平行するように対向配置された上基板１１０と、上基板１１０に平行するように対向配置された下基板１２０と、上基板１１０と下基板１２０との間に封入された液晶層１３０と、上基板１１０の液晶層１３０に隣接しない面に貼り付けられた上偏光シート１４０と、下基板１２０の液晶層１３０に隣接しない面に貼り付けられた下偏光シート１５０とを備える。
【００２４】
図１に示すように、当該液晶表示ユニットは、さらに、少なくとも１つの指紋認識センサ１６０と、少なくとも１つの光センサ１７０と、制御チップ１８０とを備える。
【００２５】
少なくとも１つの指紋認識センサ１６０は、上偏光シート１４０と下偏光シート１５０との間に設けられ、且つ指紋認識センサ１６０のそれぞれが制御チップ１８０に個別に電気接続されている。
【００２６】
少なくとも１つの光センサ１７０は、上偏光シート１４０と下偏光シート１５０との間に設けられ、または、少なくとも１つの光センサ１７０は、タッチスクリーン１００上に設けられ、且つ光センサ１７０のそれぞれが制御チップ１８０に個別に電気接続されている。
【００２７】
以上のように、本発明に供される液晶表示ユニットでは、上偏光シートと前記下偏光シートとの間に少なくとも１つの指紋認識センサを設け、且つ上偏光シートと前記下偏光シートとの間に或いはタッチスクリーン上に、少なくとも１つの光センサを設けることで、光センサに応じて一部の指紋認識センサを選択して指紋認識を行うことが可能となるため、全液晶ディスプレイスクリーンにおけるあらゆる指紋認識センサが指紋認識を行うように制御することによる資源浪費の問題を解決でき、資源を節約する効果を奏する。
【００２８】
図２は、別の実施例による液晶表示ユニットを示す構造模式図である。当該液晶表示ユニットは、携帯電話、タブレットＰＣ、ノートパソコン、スマートテレビ等のような電子機器に適用されてもよい。
【００２９】
図２に示すように、当該液晶表示ユニットは、タッチスクリーン２００と、タッチスクリーン２００に平行するように対向配置された上基板２１０と、上基板２１０に平行するように対向配置された下基板２２０と、上基板２１０と下基板２２０との間に封入された液晶層２３０と、上基板２１０の液晶層２３０に隣接しない面に貼り付けられた上偏光シート２４０と、下基板２２０の液晶層２３０に隣接しない面に貼り付けられた下偏光シート２５０とを備える。
【００３０】
好ましくは、図２に示すように、上基板２１０は、上ガラス基板２１１およびＣＦ２１２を備える。その中、上ガラス基板２１１の下面は、液晶層２３０に隣接し、ＣＦ２１２は、上ガラス基板２１１の上面に貼り付けられている。ＣＦ２１２により、ＬＣＤ（Ｌｉｑｕｉｄ Ｃｒｙｓｔａｌ Ｄｉｓｐｌａｙ、液晶ディスプレイ）パネルは、カラー画面を表示できる。ＣＦ２１２上には、Ｒ、Ｇ、Ｂの３種類の色に対応する異なる画素ブロック（画素のカラーブロック）が幾つか設けられている。図３に、ＣＦ上での画素ブロックの何種類かの異なる配置方式が示されている。第１種可能な配置方式では、図示のＣＦ３１に、Ｒ、Ｇ、Ｂの３種の色に対応する異なる画素ブロックがストリップ状に配列されている。第２種可能な配置方式では、図示のＣＦ３２に、Ｒ、Ｇ、Ｂの３種の色に対応する異なる画素ブロックが三角形に配置されている。第３種可能な配置方式では、図示のＣＦ３３に、Ｒ、Ｇ、Ｂの３種の色に対応する異なる画素ブロックが正方形に配置されている。第４種可能な配置方式では、図示のＣＦ３４に、Ｒ、Ｇ、Ｂの３種の色に対応する異なる画素ブロックがモザイクに配置（或いは、対角形配置という）されている。無論、図３に示す幾つかの配置方式が単に例示的や解釈的なものであり、本実施例は、他の可能な配置方式を制限しない。
【００３１】
また、図２および図４を参照し、図４は、ＣＦ２１２を示す側面図である。ＣＦ２１２は、画素ブロック２１２ａと、各画素ブロック２１２ａの間に分布された第１黒色マトリックス（英文：Ｂｌａｃｋ Ｍａｔｒｉｘ）２１２ｂとを含む。画素ブロック２１２ａは、Ｒ、Ｇ、Ｂの３種の色に対応する異なる画素ブロックである。各画素ブロック２１２ａの間には、第１黒色マトリックス２１２ｂが分布されている。第１黒色マトリックス２１２ｂは、背景光の漏れを防止し、ＬＣＤパネルの表示コントラストを向上させ、色の混合を防止し、色の純度を高める。
【００３２】
好ましくは、図２に示すように、下基板２２０は、下ガラス基板２２１およびＴＦＴアレイ２２２を備える。その中、下ガラス基板２２１の上面は、液晶層２３０に隣接し、下ガラス基板２２１の上面には、ＴＦＴアレイ２２２と、ＴＦＴアレイ２２２の間に分布された第２黒色マトリックス２２３とが設けられている。
【００３３】
図５は、下ガラス基板２２１を示す側面図である。第２黒色マトリックス２２３は、背景光の漏れを防止し、ＬＣＤパネルの表示コントラストを向上させ、色の混合を防止し、色の純度を高める。
【００３４】
図２に示すように、当該液晶表示ユニットは、さらに、少なくとも１つの指紋認識センサ２６０と、少なくとも１つの光センサ２７０と、制御チップ２７０とを備える。少なくとも１つの指紋認識センサ２６０は、上偏光シート２４０と下偏光シート２５０との間に設けられ、且つ指紋認識センサ２６０のそれぞれが制御チップ２８０に個別に電気接続され、少なくとも１つの光センサ２７０は、上偏光シート２４０と下偏光シート２５０との間に設けられ、または、少なくとも１つの光センサ２７０は、タッチスクリーン２００上に設けられ、且つ光センサ２７０のそれぞれが制御チップ２８０に個別に電気接続されている。
【００３５】
指紋認識センサ２６０と光センサ２７０との配置方式について、以下にそれぞれ説明する。
【００３６】
第１に、指紋認識センサ２６０の配置方式について説明する。
【００３７】
例えば、各指紋認識センサ２６０は、下ガラス基板２２１の上面に設けられてもよい。さらに例えば、各指紋認識センサ２６０は、液晶層２３０の上ガラス基板２１１に隣接する面に設けられてもよい。さらに例えば、各指紋認識センサ２６０は、ＣＦ２１２上に設けられてもよい。
【００３８】
図６は、指紋認識センサ２６０の第１種配置方式を示す模式図である。その中、指紋認識センサ２６０のそれぞれは、対応するイネーブル線２６１を介して制御チップ２８０に電気接続され、且つ指紋認識センサ２６０のそれぞれは、スイッチ２６２を介してデータ線２６３に電気接続される。データ線２６３は、採集された指紋データを伝送する。図６において、黒色矩形が指紋認識センサ２６０であり、横線がイネーブル線２６１であり、縦線がデータ線２６３である。
【００３９】
初期化の際、全ての指紋認識センサ２６０がアイドル状態であり、走査指令を待機するように制御する。即ち、各指紋認識センサ２６０のイネーブル側が対応するイネーブル線２６１に電気接続され、イネーブル線２６１に伝送された信号により、指紋認識センサ２６０をデータ線２６３に電気接続するか否かを制御する。図６において、指紋認識センサ２６０のそれぞれは、１つのスイッチ２６２を介して対応するイネーブル線２６１に接続されている一方、データ線２６３に接続されていない。
【００４０】
本実施例では、指紋認識センサ２６０のスイッチ２６２が第１状態であるように制御チップ２８０がイネーブル線２６１を介して当該スイッチを制御するとき、指紋認識センサ２６０は、アイドル状態になり、指紋認識センサ２６０のスイッチ２６２が第２状態であるように制御チップ２８０がイネーブル線２６１を介して当該スイッチを制御するとき、指紋認識センサ２６０は、作動状態になる。ただし、第１状態がオン状態であり、第２状態がオフ状態であり、または、第１状態がオフ状態であり、第２状態がオン状態である。本実施例は、それについて限定しない。
【００４１】
図７は、指紋認識センサ２６０の第２種配置方式を示す模式図である。電子機器が第２行の指紋認識センサ２６０が指紋認識を行うように制御する必要がある場合、イネーブル線２６１に伝送された信号により、第２行の各指紋認識センサ２６０をデータ線２６３に電気接続するように制御してもよい。
【００４２】
指紋認識センサ２６０がデータ線２６３に電気接続された後、電子機器は、走査指令により、これらの指紋認識センサ２６０が走査を行うように制御することで、指紋データを取得し、且つ、指紋認識処理のために、データ線２６３を介してこれらの指紋データを伝送する。その中、指紋認識センサ２６０が容量型の指紋認識センサである場合、指紋データは、静電容量値となる。
【００４３】
好ましくは、指紋認識センサ２６０の数が複数である場合、例えば、指紋認識センサ２６０がｎ（ｎ≧２）個である場合、当該ｎ個の指紋認識センサ２６０は、均一に分散配置されている。例えば、図６において、各指紋認識センサ２６０は、下ガラス基板２２１に均一に分散配置されている。複数の指紋認識センサ２６０を設けて、当該複数の指紋認識センサ２６０を均一に分散配置することで、ユーザの指が動作する位置に指紋認識センサが配置されていないため指紋認識に失敗する問題が回避され、指紋認識の成功率が向上する。
【００４４】
ある可能な実現形態では、図５に示すように、各指紋認識センサ２６０は、下ガラス基板２２１の第２黒色マトリックス２２３に設けられ、または、各指紋認識センサ２６０は、ＣＦ２１２上における第１黒色マトリックス２１２ｂに設けられている。例えば、光センサ２７０が複数個である場合、当該複数の光センサ２７０は、第２黒色マトリックス２２３に均一に分散配置され、または、第１黒色マトリックス２１２ｂに均一に分散配置されている。指紋認識センサ２６０を第２黒色マトリックス２２３あるいは第１黒色マトリックス２１２ｂに設けることで、指紋認識センサ２６０の設置がＬＣＤパネルの透過率に影響しないことを確保でき、さらにＬＣＤパネルの表示効果が影響されないことを確保する。
【００４５】
好ましくは、図６および図７を参照し、イネーブル線２６１とデータ線２６３とが第２黒色マトリックス２２３に設けられている。イネーブル線２６１およびデータ線２６３を第２黒色マトリックス２２３に設けることで、イネーブル線２６１とデータ線２６３との設置がＬＣＤパネルの透過率に影響しないことを確保でき、さらにＬＣＤパネルの表示効果が影響されないことを確保する。好ましくは、導線２９０は、透明材からなってもよい。
【００４６】
第２に、光センサ２７０の配置方式について説明する。
【００４７】
例えば、各光センサ２７０は、下ガラス基板２２１の上面に設けられてもよい。さらに例えば、各光センサ２７０は、液晶層２３０の上ガラス基板２１１に隣接する面に設けられてもよい。さらに例えば、各光センサ２７０は、ＣＦ２１２上に設けられてもよい。光センサ２７０のそれぞれは、制御チップ２８０に個別に電気接続されている。光センサ２７０は、光信号を電気信号に変換して制御チップ２８０へ供給する。
【００４８】
好ましくは、光センサ２７０の数が複数である場合、例えば、光センサ２７０がｍ（ｍ≧２）個である場合、当該ｍ個の光センサ２７０は、均一に分散配置されている。例えば、図４において、各光センサ２７０は、ＣＦ２１２上に均一に分散配置され、または、下ガラス基板２２１の第２黒色マトリックス２２３に均一に分散配置されている。複数の光センサ２７０を設けて、当該複数の光センサ２７０を均一に分散配置することで、ＬＣＤパネル上でのユーザの操作に起因してあらゆる光センサ２７０が全部ユーザの指や他の物に遮られることが回避される。一部の光センサ２７０が遮られても、他の一部の光センサ２７０が遮られていない。当該他の一部の遮られていない光センサ２７０は、相変わらず正確なセンサデータを採集できる。そして、光センサ２７０を第２黒色マトリックス２２３や第１黒色マトリックス２１２ｂに設けることで、光センサ２７０の設置がＬＣＤパネルの透過率に影響しないことを確保でき、さらにＬＣＤパネルの表示効果が影響されないことを確保する。
【００４９】
好ましくは、図４を参照すると、光センサ２７０のそれぞれは、導線を介して制御チップ２８０に電気接続されている。各導線２９０もＣＦ２１２の第１黒色マトリックス２１２ｂに設けられている。導線２９０をも第１黒色マトリックス２１２ｂに設けることで、導線２９０の設置がＬＣＤパネルの透過率に影響しないことを確保でき、さらにＬＣＤパネルの表示効果が影響されないことを確保する。好ましくは、導線２９０は、透明材からなってもよい。
【００５０】
好ましくは、光センサ２７０は、タッチスクリーン１００上に均一に分散配置されてもよい。
【００５１】
また、各光センサ２７０は、感光素子を含む。当該感光素子は、上偏光シート２４０の側に向けて設けられ、光信号を正常に受信することを確保する。感光素子は、感光抵抗、感光ダイオード、感光トランジスタ、シリコン光電池のうちの何れかを含むが、それらに限定されない。感光素子は、光信号を電気信号に変換する。好ましくは、感光素子は、透明材からなってもよい。
【００５２】
図２に示すように、当該液晶表示ユニットは、少なくとも１つのバックライト３００をさらに備えてもよい。当該少なくとも１つのバックライト３００は、制御チップ２８０に電気接続される。バックライト３００は、下偏光シート２５０の裏面に設けられている。バックライト３００は、ＬＣＤパネルの裏から光源を提供する。バックライト３００の種類は、ＥＬ（Ｅｌｅｃｔｒｏ Ｌｕｍｉｎｅｓｃｅｎｔ、エレクトロルミネセンス）、ＣＣＦＬ（Ｃｏｌｄ Ｃａｔｈｏｄｅ Ｆｌｕｏｒｅｓｃｅｎｔ Ｌａｍｐ、冷陰極管）、ＬＥＤ（Ｌｉｇｈｔ Ｅｍｉｔｔｉｎｇ Ｄｉｏｄｅ、発光ダイオード）等のうちの何れかを含むが、それらに限定されない。
【００５３】
また、制御チップ２８０は、ＭＣＵ（Ｍｉｃｒｏｃｏｎｔｒｏｌｌｅｒ Ｕｎｉｔ、マイクロコントローラ）であってもよい。ＭＣＵは、シングルチップマイクロコンピュータまたはマイコンとも呼ばれ、チップレベルのコンピュータである。ある可能な実現形態では、ＭＣＵが環境光の輝度に応じてバックライト輝度を動的に調整することを例として、各光センサ２７０が環境光の輝度を採集し、ＭＣＵが各光センサ２７０から環境光の輝度を取得し、取得した環境光の輝度に対して算出処理を行い、算出処理の結果に基づいてバックライト輝度を特定し、それから特定したバックライト輝度に基づいてバックライト３００が発光するように制御する。例えば、環境光の輝度が大きい場合、バックライト３００の発光輝度も大きくなるように制御する一方、環境光の輝度が小さい場合、バックライト３００の発光輝度も小さくなるように制御する。
【００５４】
また、液晶表示ユニットに対応する表示領域は、完全な表示領域であってもよい。当該表示領域には、対応的に、少なくとも１つのバックライト３００が設けられている。各バックライト３００は、全表示領域のバックライト輝度を制御する。
【００５５】
または、好ましくは、図８に示すように、液晶表示ユニットに対応する表示領域８１は、ｍ（ｍ≧２）個の表示ブロック（図示の第１表示ブロック８２、第２表示ブロック８３、第３表示ブロック８４および第４表示ブロック８５）に分割され、表示ブロックごとに少なくとも１つのバックライト３００が設けられ、且つ表示ブロックごとに少なくとも１つの光センサ２７０と少なくとも１つの指紋認識センサ２６０とが設けられている。表示ブロックのそれぞれに、それに対応する幾つかのバックライト３００は、当該表示ブロックのバックライト輝度を単独で制御する。例えば、第１表示ブロック８２に対応して第１バックライトおよび第１光センサが設けられ、第２表示ブロック８３に対応して第２バックライトおよび第２光センサが設けられている場合、第１バックライトは、第１光センサによって採集された環境光の輝度に応じて、第１表示ブロック８２のバックライト輝度を単独で制御し、第２バックライトは、第２光センサによって採集された環境光の輝度に応じて、第２表示ブロック８３のバックライト輝度を単独で制御する。ＬＣＤパネルに対応する表示領域を複数の表示ブロックに分割し、異なるバックライトを用いて当該複数の表示ブロックのバックライト輝度に対してブロックごとに制御することで、バックライト制御の柔軟性が向上する。
【００５６】
以上のように、本発明に供される液晶表示ユニットでは、上偏光シートと前記下偏光シートとの間に少なくとも１つの指紋認識センサを設け、且つ上偏光シートと前記下偏光シートとの間に或いはタッチスクリーン上に、少なくとも１つの光センサを設けることで、光センサに応じて一部の指紋認識センサを選択して指紋認識を行うことが可能となるため、全液晶ディスプレイスクリーンにおけるあらゆる指紋認識センサが指紋認識を行うように制御することによる資源浪費の問題を解決でき、資源を節約する効果を奏する。
【００５７】
また、指紋認識センサおよび光センサをＣＦの第１黒色マトリックスに設け、或いは、下基板に設けられた第２黒色マトリックスに設けることで、指紋認識センサと光センサとの設置がＬＣＤパネルの透過率に影響しないことを確保でき、さらにＬＣＤパネルの表示効果が影響されないことを確保する。
【００５８】
また、複数の指紋認識センサを設け、且つ当該複数の指紋認識センサを均一に分散配置することで、ユーザの指が動作する位置に指紋認識センサが配置されていないため指紋認識に失敗する問題が回避され、指紋認識の成功率が向上する
また、さらに複数の光センサを設けて、当該複数の光センサを均一に分散配置することで、ＬＣＤパネル上でのユーザの操作に起因してあらゆる光センサが全部ユーザの指や他の物に遮られることが回避される。一部の光センサが遮られても、他の一部の光センサが遮られていない。当該他の一部の遮られていない光センサは、相変わらず正確なセンサデータを採集できる。
【００５９】
本発明の別の実施例によれば、電子機器をさらに提供する。例えば、当該電子機器は、携帯電話、コンピュータ、デジタル放送端末、メッセージ送受信機器、ゲームコンソール、タブレットデバイス、医療設備、フィットネス機器、ＰＤＡなどであってもよい。当該電子機器は、上記図１或いは図２に示す実施例に供される液晶表示ユニットを含む。
【００６０】
当業者は、明細書を考慮し、ここに公開された発明を実践した後、本発明の他の実施案を容易に想到することができる。本願は、本発明の如何なる変形、用途または適合も包含することを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本来の範囲および思想は添付する特許請求の範囲によって与えられる。
【００６１】
本発明が以上に記載され、且つ図面に示された具体的な構造に限定されるものでなく、その要旨を逸脱しない範囲で様々な修正や変更も可能であることは理解されるべきである。本発明の範囲は、添付する特許請求の範囲のみによって特定される。
【００６２】
本願は、出願番号が２０１５１０６４９７５７.８であり、出願日が２０１５年１０月０９日である中国特許出願に基づいて優先権を主張する。当該中国特許出願の全ての内容は、ここに参考として引用される。
【図１】
0006609265.tif 000002
【図２】
0006609265.tif 000003
【図３】
0006609265.tif 000004
【図４】
0006609265.tif 000005
【図５】
0006609265.tif 000006
【図６】
0006609265.tif 000007
【図７】
0006609265.tif 000008
【図８】
0006609265.tif 000009